(57)【要約】【課題】  曲面施工や構築長の調整施工に容易に対応可能であって、且つ成型時にひび割れの発生を抑制可能な擁壁ブロックを提供する。【解決手段】  本発明の擁壁ブロック１０は、前壁１２、後壁１４、及びこれらをつなぐ平行な２本の梁１６，１６を含んで構成され、前壁１２の側辺２０及び後壁１４の側辺２２に沿って段差部２４が形成され、前壁１２、後壁１４、及び２本の梁１６，１６によって形成される開口部２６の平面視形状が六角形をなし、前壁１２の中央部が前方に突出していることを特徴とする。【選択図】  図１
2014218809.tif 000002
【特許請求の範囲】
【請求項１】
前壁、後壁、及びこれらをつなぐ平行な２本の梁を含んで構成され、
前記前壁及び前記後壁の一側辺又は両側辺に沿って段差部が形成され、
前記前壁、前記後壁、及び２本の前記梁によって形成される開口部の平面視形状が六角形をなし、
前記前壁の中央部が前方に突出していることを特徴とする擁壁ブロック。
【請求項２】
前記前壁及び前記後壁を貫通する排水管が前記梁の内部に配設されていることを特徴とする請求項１に記載の擁壁ブロック。
【発明の詳細な説明】
【技術分野】
【０００１】
本発明は、曲面施工や構築長の調整施工に対応可能な擁壁ブロックに関する。
【背景技術】
【０００２】
コンクリートブロックを用いた擁壁の構築において、特に曲面に対して施工する場合、従来の直方体形状のコンクリートブロックでは、隣接するコンクリートブロック間に隙間が生じるため、この隙間を埋める作業が必要となる。また、平面に対する施工において、隙間の無いようにコンクリートブロック同士を密着させて施工した場合であっても、水平方向の設計長に対してコンクリートブロックの構築長が足りなければ施工面の端部に隙間が生じるため、この隙間を埋める作業が必要となる。
【０００３】
そこで、曲面施工や構築長の調整施工を容易とした擁壁ブロックが種々開示されている（例えば、特許文献１及び特許文献２参照。）。特許文献１に開示された擁壁ブロックは、前壁と後壁とこれらをつなぐ中梁とで平面略Ｉ字形に形成したことを特徴とし、左右に突出する前壁と後壁の先端をそれぞれ前後に重合させることで擁壁ブロック同士を隙間無く連続させることを可能としている。そして、左右に隣接する擁壁ブロックを交互に前後に位置させれば、平面の擁壁が構築でき、重合の前後位置関係を適宜選択することで曲面の擁壁も構築できる。
【０００４】
また、特許文献２に開示された曲面対応・延長調整ブロック（＝擁壁ブロック）は、梁によって平行に保たれた前壁及び後壁の擁壁延長方向である一端又は両端に、前壁の前面及び後壁の背面それぞれに対して段差を有し、基端より先端が薄肉となる重合羽部を設けたことを特徴とし、一の擁壁ブロックの一端に設けられた重合羽部と、隣接する他の擁壁ブロックにおける重合羽部が設けられていない端部とを重合させることで、特許文献１と同様に擁壁ブロック同士を隙間無く連続させることを可能としている。
【先行技術文献】
【特許文献】
【０００５】
【特許文献１】特開平１１−１２４８６６号公報
【特許文献２】特許第４６９１２５８号公報（図１参照）
【発明の概要】
【発明が解決しようとする課題】
【０００６】
しかしながら、特許文献１に係る擁壁ブロックでは、左右に突出する前壁と後壁の先端をそれぞれ前後に重合させているため、擁壁を構築した際に擁壁ブロック同士の継ぎ目に大きな凹凸が形成されると共に、擁壁ブロック同士の結合強度も劣る。
【０００７】
また、特許文献２に係る擁壁ブロックでは、特許文献１のように擁壁を構築した際に擁壁ブロック同士の継ぎ目に大きな凹凸が形成されることはなく、擁壁ブロック同士の結合強度も特許文献１に比較して優れるものと思料する。
【０００８】
しかしながら、特許文献２に係る擁壁ブロックのうち、特に同文献の図１に係る擁壁ブロックを製造する際、前壁や後壁、梁にひび割れが発生して製品として使用できなくなるという問題が生じる。これは擁壁ブロックの成型方法に由来するものであるが、通常、特許文献２に係る擁壁ブロックを成型する場合は、平面視で擁壁ブロックの上下方向から組み合わせた一対の型枠が使用される。実際には、前壁側を下にした状態で、完成品の擁壁ブロックの上面を前側、下面を後側とした場合に、前後方向から組み合わせた型枠内に後壁側、つまり型枠の上側からコンクリートを流し込む。そして、コンクリートが硬化した後、組み合わせてあった一対の型枠を前後方向に引き離すことによって擁壁ブロックが成型されるが、この型枠を引き離す際に、前壁や後壁、梁にひび割れが発生するのである。
【０００９】
そこで本願発明者は、上記の問題点に鑑み、曲面施工や構築長の調整施工に容易に対応可能であって、且つ成型時にひび割れの発生を抑制可能な擁壁ブロックを提供するべく鋭意検討を重ねた結果、本発明に至ったのである。
【課題を解決するための手段】
【００１０】
即ち、本発明の擁壁ブロックは、前壁、後壁、及びこれらをつなぐ平行な２本の梁を含んで構成され、前記前壁及び前記後壁の一側辺又は両側辺に沿って段差部が形成され、前記前壁、前記後壁、及び２本の前記梁によって形成される開口部の平面視形状が六角形をなし、前記前壁の中央部が前方に突出していることを特徴とする。
【００１１】
また、本発明の擁壁ブロックにおいて、前記前壁及び前記後壁を貫通する排水管が前記梁の内部に配設されていることを特徴とする。
【発明の効果】
【００１２】
本発明の擁壁ブロックによると、曲面施工や構築長の調整施工に容易に対応可能であると共に、擁壁ブロックの成型時に、前壁や後壁、梁にひび割れが発生することを抑制することが可能である。
【００１３】
また、本発明の擁壁ブロックにおいて、前壁及び後壁を貫通する排水管が梁の内部に配設されていることによって、擁壁を構築する際、擁壁の後壁側から前壁側へ別途排水管を設ける必要が無く、また排水管自体を損傷する虞も無いため、施工性の向上が図られる。
【図面の簡単な説明】
【００１４】
【図１】（ａ）は本発明の擁壁ブロックの一実施形態を示す平面図、（ｂ）は（ａ）に示した擁壁ブロックの正面図である。
【図２】（ａ）は図１に示した擁壁ブロックの右側面図、（ｂ）は左側面図である。
【図３】（ａ）は図１に示した擁壁ブロックを芋積みした平面擁壁を示した斜視図、（ｂ）は構築長を調整して施工した平面擁壁を示した斜視図である。
【図４】（ａ）は図１に示した擁壁ブロックを内カーブに施工した曲面擁壁を示した斜視図、（ｂ）は外カーブに施工した曲面擁壁を示した斜視図である。
【図５】（ａ）は本発明の擁壁ブロックの他の実施形態を示す平面図、（ｂ）は本発明の擁壁ブロックの更に他の実施形態を示す平面図である。
【発明を実施するための形態】
【００１５】
以下、本発明の擁壁ブロックの実施形態について、図面に基づいて詳述する。
【００１６】
図１（ａ）は本発明の一実施形態に係る擁壁ブロック１０の平面図、同図（ｂ）は擁壁ブロック１０の正面図、図２（ａ）は擁壁ブロック１０のの右側面図、同図（ｂ）は擁壁ブロック１０の左側面図である。まず図１に示すように、本実施形態に係る擁壁ブロック１０は、前壁１２、後壁１４、及びこれらをつなぐ平行な２本の梁１６，１６を含んで構成されている。
【００１７】
また、本実施形態の擁壁ブロック１０に係る前壁１２の側辺２０、及び後壁１４に係る前壁１２の側辺２０と反対側の側辺２２に沿って、段差部２４が形成されている。より具体的には、前壁１２の側辺２０に沿って形成された段差部２４は前壁１２の前面側に、後壁１４の側辺２２に沿って形成された段差部２４は後壁１４の背面側に各々形成されている。
【００１８】
そして、前壁１２、後壁１４及び２本の梁１６，１６によって形成される開口部２６の平面視形状が六角形をなしている。なお、梁１６，１６には、図２に示すように、開口部２６内と梁１６，１６の外側とを連通する貫通孔２８が設けられている。
【００１９】
更にまた、本実施形態の擁壁ブロック１０に係る前壁１２の中央部が前方に突出していることを特徴とする。具体的には、図１（ａ）に示すように、前壁１２の両側から中央部に向かって徐々に前方に突出していることを特徴とする。
【００２０】
また、本実施形態に係る擁壁ブロック１０には、図１及び図２に示すように、前壁１２及び後壁１４を貫通する排水管３０が梁１６の内部に配設されている。なお、排水管３０の配設箇所を避けるため、梁１６に形成される貫通孔２８の一つは、他の貫通孔２８に比べて若干小さく形成されている。
【００２１】
以上の構成からなる本実施形態の擁壁ブロック１０は、以下のようにして成型される。まず、前壁１２側を下にした状態で、完成品の擁壁ブロック１０の上面を前側、下面を後側とした場合に、前後方向から組み合わせた型枠内に排水管３０を配設した上で後壁１４側、つまり型枠の上側からコンクリートを流し込む。そして、コンクリートが硬化した後、組み合わせてあった一対の型枠を前後方向に引き離すことによって擁壁ブロックが成型される。図２（ａ）を参照すれば、同図に示した右側面図を９０度左に回転させた状態で、左右方向から組み合わせた型枠内に上側からコンクリートを流し込み、コンクリートの硬化後、組み合わせてあった一対の型枠を左右方向（実際には、左側の型枠は斜め上方向、右側の型枠は斜め下方向）に引き離すことによって擁壁ブロックが成型される。
【００２２】
ここで、本実施形態の擁壁ブロック１０では、前壁１２、後壁１４及び２本の梁１６，１６によって形成される開口部２６の平面視形状が六角形をなしており、更に前壁１２の両側から中央部に向かって徐々に前方に突出しているため、コンクリートの硬化後、型枠を引き離す際に、前壁１２や後壁１４、梁１６，１６へのひび割れの発生を抑制することができ、強度も十分に確保することができる。通常の擁壁ブロックの成型時、前壁や後壁等には歪み（撓み）が生じ、この歪みがひび割れ発生の要因となる。擁壁ブロックの大きさが大きくなればなるほど、その影響も大きくなるわけであるが、開口部２６の平面視形状を六角形とすることによって、前壁１２や後壁１４等に生じる歪みの影響を抑制することが可能となるため、擁壁ブロック１０の大きさが大きくなってもひび割れの発生を抑制することが可能となる。また、前壁１２の両側から中央部に向かって徐々に前方に突出させることによって、歪みの影響を抑制しつつ、擁壁ブロック１０の強度も十分に確保することが可能となる。
【００２３】
以上のような構成からなる本実施形態の擁壁ブロック１０によると、まず図３（ａ）に示すように、従来の芋積みした平面擁壁を構築することが可能である。この態様では、同一形状の擁壁ブロック１０が上下左右方向に隙間無く並べられる。具体的には、一の擁壁ブロック１０の前壁１２の段差部２４と、隣接する擁壁ブロック１０に係る前壁１２の段差部２４が形成されていない側の側辺２１とを隙間無く重合させると共に、一の擁壁ブロック１０の後壁１４の段差部２４と、隣接する擁壁ブロック１０に係る後壁１４の段差部２４が形成されていない側の側辺２３とを隙間無く重合させることによって、芋積みした平面擁壁が構築されることとなる。
【００２４】
また、擁壁ブロック１０を隙間無く並べた場合の構築長が、平面擁壁の設計長に満たない場合は、図３（ｂ）に示すように、一の擁壁ブロック１０の前壁１２の段差部２４と、隣接する擁壁ブロック１０の前壁１２に係る側辺２１との重合長さを調整すると共に、一の擁壁ブロック１０の後壁１４の段差部２４と、隣接する擁壁ブロック１０の後壁１４に係る側辺２３との重合長さを調整することによって、隣接する擁壁ブロック１０間に隙間を形成することなく構築長を調整することができる。
【００２５】
また、本実施形態の擁壁ブロック１０は、図４（ａ）に示すように、内カーブに施工して曲面擁壁を構築したり、図４（ｂ）に示すように、外カーブに施工して曲面擁壁を構築したりすることも容易である。つまり、一の擁壁ブロック１０の前壁１２の段差部２４と、隣接する擁壁ブロック１０の前壁１２に係る側辺２１との重合長さ、及び一の擁壁ブロック１０の後壁１４の段差部２４と、隣接する擁壁ブロック１０の後壁１４に係る側辺２３との重合長さを、擁壁ブロック１０の積み上げ方向で適宜調整することによって、隣接する擁壁ブロック１０間に隙間を形成することなく曲面擁壁を構築することが可能である。
【００２６】
以上のように、本実施形態の擁壁ブロック１０によると、曲面施工や構築長の調整施工に容易に対応可能であると共に、擁壁ブロック１０の成型時に、前壁１２や後壁１４、梁１６，１６にひび割れが発生することを抑制することが可能である。
【００２７】
また、前壁１２及び後壁１４を貫通する排水管３０が梁１６の内部に予め配設されていることによって、擁壁を構築する際、擁壁の後壁１４側から前壁１２側へ別途排水管を設ける必要が無い。更に、排水管３０が擁壁ブロック１０に係る梁１６内に埋設されているため、排水管３０そのものを損傷する虞も無く、施工性の向上が図られる。
【００２８】
以上に例示した本発明の実施形態に係る擁壁ブロック１０は、本発明の技術的思想を実質的に限定するものと解してはならない。例えば図５（ａ）に示す擁壁ブロック１０ａのように、段差部２４が前壁１２及び後壁１４の同じ側の側辺２１，２２に形成されてもよく、図５（ｂ）に示す擁壁ブロック１０ｂのように、段差部２４が前壁１２の両側辺２０，２１及び後壁１４の両側辺２２，２３に形成されてもよい。
【００２９】
また、本実施形態の擁壁ブロック１０における上面や下面に、擁壁構築時に上段に積む擁壁ブロック１０の位置ずれを防止するための突起と凹部から構成される位置ずれ防止手段等が形成されてもよく、本発明はその要旨を逸脱しない範囲で、当業者の創意と工夫により、適宜に改良、変更又は追加をしながら実施できる。
【符号の説明】
【００３０】
１０：擁壁ブロック
１２：前壁
１４：後壁
１６：梁
２０，２１：前壁の側辺
２２，２３：後壁の側辺
２４：段差部
２６：開口部
２８：貫通孔
３０：排水管
【図１】
2014218809.tif 000003
【図２】
2014218809.tif 000004
【図３】
2014218809.tif 000005
【図４】
2014218809.tif 000006
【図５】
2014218809.tif 000007